(57)【要約】【課題】ディスクの半径方向に記録あるいは再生する際に高精度の信号光と参照光の照射を可能とする情報記録媒体、および該情報記録媒体を用いて情報の記録再生を行う情報記録再生装置を提供する。【解決手段】上記の課題を解決するために、本発明の情報記録媒体および情報記録再生装置では以下のような技術手段を採用する。ディスクの半径方向に記録再生位置検出用のピットを設け、このピットに同期信号やアドレスを埋め込み、記録あるいは再生する際にこのピットをガイドにして高精度の信号光と参照光の照射を行うことにより、ディスクを高速回転せずに記録再生を行うことを可能とする。【選択図】  図１
2010040148.tif 000002
【特許請求の範囲】
【請求項１】
ディスクの半径方向に放射線状に刻まれたピットと該ピットに隣接した記録再生領域を備え、前記ピットに沿って前記記録再生領域の位置決めを行い、ディスクの半径方向にデータを記録あるいは再生していくように、前記ピットには少なくとも同期信号とアドレスを有することを特徴とする情報記録媒体。
【請求項２】
請求項１に記載の情報記録媒体において、
ディスクの半径方向に内側あるいは外側に向かってデータを記録あるいは再生するように、ディスクの内側あるいは外側に向かってアドレスが増加あるいは減少していることを特徴とする情報記録媒体。
【請求項３】
請求項１に記載の情報記録媒体において、
ディスクの内側に向かってアドレスが増加しているトラックと、ディスクの外側に向かってアドレスが増加しているトラックが１トラックづつ交互に配置されていることを特徴とする情報記録媒体。
【請求項４】
請求項１に記載の情報記録媒体において、
ディスクの半径方向に内側と外側のどちらに向かってもアドレスが読めるように、同期信号を中心に前後にアドレスが埋め込まれていることを特徴とする情報記録媒体。
【請求項５】
請求項１に記載の情報記録媒体において、ディスクの半径方向に内側あるいは外側に向かって１つおきにデータを記録あるいは再生するように同期信号とアドレスが埋め込まれていることを特徴とする情報記録媒体。
【請求項６】
ディスクの接線方向に刻まれたピットと該ピットに隣接した記録再生領域を備え、前記ピットに沿って前記記録再生領域の位置決めが行われ、ディスクの接線方向にデータを記録あるいは再生されるように、前記ピットは少なくとも同期信号とアドレスを有し、ディスクの右回転方向と左回転方向のどちらに向かってもアドレスが読み出し可能となるように、同期信号の前後にアドレスが埋め込まれていることを特徴とする情報記録媒体。
【請求項７】
請求項１〜６記載の情報記録媒体の記録再生領域にデータを記録あるいは再生する情報記録再生装置において、前記ピットの位置を検出することによって前記記録再生領域の位置合わせを行うサーボ機構を備えていることを特徴とする情報記録再生装置。
【発明の詳細な説明】
【技術分野】
【０００１】
本発明は、情報記録媒体、および情報記録媒体に情報を記録または再生する装置に関する。
【背景技術】
【０００２】
現在、青紫色半導体レーザを用いた、Ｂｌｕ−ｒａｙ  Ｄｉｓｃ（ＢＤ）規格などにより、民生用においても５０ＧＢ程度の記録密度を持つ光ディスクの商品化が可能となってきた。
【０００３】
今後は、光ディスクでも１００ＧＢ〜１ＴＢというＨＤＤ（Ｈａｒｄ  Ｄｉｓｃ  Ｄｒｉｖｅ）容量と同程度まで大容量化が望まれる。
【０００４】
しかしながら、このような超高密度を光ディスクで実現するためには、今までの様な短波長化と対物レンズ高ＮＡ化による従来の高密度技術のトレンドとは異なった新しいストレージ技術が必要となる。
【０００５】
次世代のストレージ技術に関する研究が行われる中、ホログラフィを利用してデジタル情報を記録するホログラム記録技術が注目を集めている。
【０００６】
ホログラム記録技術とは、空間光変調器により２次元的に変調されたページデータの情報を有する信号光と、参照光とを記録媒体の内部で重ね合わせ、その時に生じる干渉縞パターンによって記録媒体内に屈折率変調を生じさせることで情報を記録する技術である。
【０００７】
また情報の再生時には、記録時に用いた参照光を同じ配置で記録媒体に照射すると、記録媒体中に記録されているホログラムが回折格子のように作用して回折光を生じる。この回折光が記録した信号光と位相情報を含めて同一の光として再生される。
【０００８】
再生された信号光は、ＣＭＯＳやＣＣＤなどの光検出器を用いて２次元的に高速に検出される。このようにホログラム記録では、１つのホログラムで２次元的な情報を同時に記録／再生され、また同じ場所に複数のページデータを重ね書きすることができるため、大容量かつ高速な情報の記録再生に有効である。
【０００９】
ホログラム記録技術として、例えば特開平１０−２８３６６５（特許文献１）がある。本公報には、２次元に配列したキーワードデータを１列毎に１次元フーリエ変換型のホログラムに変換し、そのホログラム同士を半径方向に所定幅ずらし、半径方向の全体の長さが光ディスクの半径方向の記録領域長にほぼ等しいデータの組を光ディスクに記録し、記録された全キーワードを光学的に一度に読み出す技術が記載されている。
【００１０】
【特許文献１】特開２００４−２７２２６８号公報
【発明の開示】
【発明が解決しようとする課題】
【００１１】
ホログラフィを利用した情報記録再生装置においては、一定の範囲に一度に記録再生することが可能なため、ＢＤに代表される従来の光ディスクのように接線方向に記録あるいは再生するのではなく、ディスクの半径方向に記録あるいは再生していくことも可能であり、これによりディスク回転数を抑えることができる。
【００１２】
しかしながらディスクの半径方向に記録していく情報記録再生装置に関する技術や、その光学系構成に関する技術は、従来全く開示されていない。
【００１３】
本発明は上記問題を鑑みなされたものであり、ディスクの半径方向に記録あるいは再生する際に高精度の信号光と参照光の照射を可能とする情報記録媒体、および該情報記録媒体を用いて情報の記録再生を行う情報記録再生装置を提供することを目的とする。
【課題を解決するための手段】
【００１４】
上記目的は、その一例として特許請求の範囲に記載の発明により達成できる。
【００１５】
本発明の構成の一例を簡単に説明すれば、本発明に従う情報記録媒体は、ディスクの半径方向に記録再生位置検出用のピットを設け、このピットにアドレスを埋め込む構成とされる。
【発明の効果】
【００１６】
本発明によれば、ディスクの半径方向に記録あるいは再生する際に高精度の信号光と参照光の照射を行うことができ、ディスクを高速回転せずに記録再生を行う情報記録媒体および情報記録再生装置を提供することが可能となる。
【発明を実施するための最良の形態】
【００１７】
本発明に従う情報記録媒体は、ディスクの半径方向に記録再生位置検出用のピットを設け、このピットにアドレスを埋め込む構成とされる。このピットに対してフォーカスサーボおよびトラッキングサーボを行うことで記録および再生の位置決めを高精度に行うことが可能となる。以下、本発明の実施例について説明するが、本発明は以下の実施例に限定されるものではない。
【実施例１】
【００１８】
図１、図２は第１の実施例の情報記録媒体と情報記録再生装置を示す。図１（ａ）はホログラフィを利用してデジタル情報を記録再生する情報記録媒体の一部を示す概略図である。１はディスク状の情報記録媒体であり、ディスクの半径方向に放射線状にサーボ用のピット２が刻まれている。２はサーボ用のピットであり、同期信号やアドレス情報が埋め込まれている。３はホログラフィの記録再生領域であり、サーボ用のピット２の横に配置されており、サーボ用のピット２により位置決めを行う。
【００１９】
図１（ｂ）は（ａ）の情報記録媒体１の拡大図である。サーボ用のピット２に同期信号とアドレス情報が埋め込まれている。
【００２０】
図１（ｃ）は情報記録媒体の断面図である。４は情報記録媒体の光ピックアップ側の基板である。５はホログラム記録層であり、基板４と基板６に挟まれている。６は光ピックアップと反対側の基板であり、サーボ用のピット２が刻まれている。７は信号光、８は参照光であり、情報記録媒体において信号光７と参照光８を互いに重ね合うように入射させることで、記録媒体内には干渉縞パターンが形成され、このパターンを記録媒体に書き込むことで情報を記録する。９はサーボ光であり、サーボ用のピット２にサーボをかけることで記録位置の正確な位置決めを行う。
【００２１】
図２はホログラフィを利用してデジタル情報を記録再生する情報記録再生装置の構成を示したものである。１０は情報記録再生装置であり、ピックアップ１１、信号検出回路８３、信号処理回路８５、スピンドルモータ５０等を備え、情報記録媒体１を回転モータ１２によって回転可能な構成となっている。１１はピックアップであり、信号処理回路１４から出力されたデジタル情報を、ピックアップ１１内の空間光変調器により変調し、変調した信号光と参照光を情報記録媒体１に出射する。また、参照光の位相共役光によって再生される再生光をピックアップ１１内の光検出器により検出して出力する。ここで位相共役光とは、入力光と同一の波面を保ちながら逆方向に進む光波のことである。更に、情報記録媒体１のピットの再生信号を検出回路１３に出力する。
【００２２】
図２において、１４は信号処理回路であり、情報記録再生装置１０に入力されたデジタル情報をエンコードしてピックアップ１１に出力する。また、ピックアップ１１から出力された再生信号をデコードしてデジタル情報を出力する。更に、信号検出回路１３から検出された再生信号ＲＦから同期信号を検出し、クロックを再生し、情報記録媒体１にピットとして埋め込まれたアドレス情報を再生する。１３はサーボ信号およびＲＦ信号の検出回路であり、ピックアップ１１を介して情報記録媒体１のピットからフォーカスエラー信号ＦＥ、トラッキングエラー信号ＴＥおよび再生信号ＲＦを検出して出力する。１５はＦＥ、ＴＥのサーボ回路であり、フォーカスエラー信号ＦＥに基づいて、ピックアップ１１内のアクチュエータを駆動して対物レンズを情報記録媒体１にフォーカスさせ、トラッキングエラー信号ＴＥに基づいてピックアップ１１内のアクチュエータを駆動して対物レンズを情報記録媒体１のピット列すなわちトラックに追従させる。１６はスライダであり、スライダ制御回路１７を介してコントローラ１８によりピックアップ１１の半径方向の移動を制御する。１９はスピンドル制御回路であり、トラッキングエラー信号ＴＥおよびコントローラからの指示に基づいてスピンドルモータ１２により情報記録媒体１を回転させる。
【００２３】
前述のとおり、情報記録媒体１にはディスクの半径方向に放射線状にピットが刻まれており、ピットには同期信号やアドレス情報が埋め込まれている。このピットにより正確な記録位置制御を行いながら、ピットのトラックに沿って内側方向に順にデータを記録していく。端まで記録したら、外側方向にピックアップ１１を戻し、ピックアップ１１を隣のトラックにジャンプさせ、ピットのトラックに沿って内側方向にデータを記録していく。あるいは、ピットのトラックに沿って内側方向にデータを再生していく。端まで再生したら、外側方向にピックアップ１１を戻し、ピックアップ１１を隣のトラックにジャンプさせ、ピットに沿って内側方向にデータを再生していく。ディスクの内側から外側、あるいは外側から内側にピックアップ１１を移動させる際に、ディスクの偏芯等によりピックアップ１１の対物レンズの制御だけでは情報記録媒体１のトラックに追従させられない場合は、スピンドルモータ１２も制御して追従させる。
【００２４】
なお、上記実施例ではピットのトラックに沿って内側方向に順にデータを記録あるいは再生していく情報記録媒体および情報記録再生装置を示したが、ピットのトラックに沿って外側方向に順にデータを記録あるいは再生していく情報記録媒体および情報記録再生装置でも良い。
【００２５】
また、通常ディスクの最内周に記録する管理情報は、本実施例ではディスクの１番内側あるいは１番外側の特定の記録再生領域に記録する。
【００２６】
以上の構成により本発明の第１の実施例では、ディスクの半径方向に記録再生位置検出用のピットを設け、このピットに同期信号やアドレスを埋め込み、記録あるいは再生する際にこのピットをガイドにして高精度の信号光と参照光の照射を行うことにより、ディスクを高速回転せずに記録再生を行う情報記録媒体および情報記録再生装置を提供することが可能となる。
【実施例２】
【００２７】
図３は第２の実施例の情報記録媒体の一部を示す概略図である。図３（ａ）はホログラフィを利用してデジタル情報を記録再生する情報記録媒体の一部を示す概略図である。３１はディスク状の情報記録媒体であり、ディスクの半径方向に放射線状にサーボ用のグルーブ３２が刻まれている。３２はグルーブと呼ばれるサーボ用の案内溝であり、このグルーブにはウォブルと呼ばれるうねりがつけられており、ＢｉｐｈａｓｅやＦＭ変調により同期信号やアドレス情報が埋め込まれている。３はホログラフィの記録再生領域であり、サーボ用のグルーブ３２の横に配置されており、サーボ用のグルーブ３２により位置決めを行う。
【００２８】
図３（ｂ）は（ａ）の情報記録媒体１の拡大図である。サーボ用のグルーブ３２に同期信号とアドレス情報が埋め込まれている。
【００２９】
図３（ｃ）は情報記録媒体の断面図である。４は情報記録媒体の光ピックアップ側の基板である。５はホログラム記録層であり、基板４と基板６に挟まれている。６は光ピックアップと反対側の基板であり、サーボ用のグルーブ３２が刻まれている。７は信号光、８は参照光であり、情報記録媒体において信号光７と参照光８を互いに重ね合うように入射させることで、記録媒体内には干渉縞パターンが形成され、このパターンを記録媒体に書き込むことで情報を記録する。９はサーボ光であり、サーボ用のグルーブ３２にサーボをかけることで記録位置の正確な位置決めを行う。
【００３０】
以上の構成により本発明の第２の実施例では、ディスクの半径方向に記録再生位置検出用のグルーブを設け、このグルーブに同期信号やアドレスを埋め込み、記録あるいは再生する際にこのグルーブをガイドにして高精度の信号光と参照光の照射を行うことにより、ディスクを高速回転せずに記録再生を行う情報記録媒体および情報記録再生装置を提供することが可能となる。
【００３１】
また、グルーブ周辺にサーボ光の波長に対応した記録膜を形成すれば、サーボ光を高パワーで照射した時にマークを形成することができ、このマークをホログラフィの記録再生領域３の記録／未記録等の補助情報として使用することも可能となる。
【実施例３】
【００３２】
図４は第３の実施例の情報記録媒体の一部を示す概略図である。４１はディスク状の情報記録媒体であり、ディスクの半径方向に放射線状にサーボ用のピット２が刻まれている。２はサーボ用のピットであり、同期信号やアドレス情報が埋め込まれている。３はホログラフィの記録再生領域であり、サーボ用のピット２の横に配置されており、サーボ用のピット２により位置決めを行う。情報記録媒体４１にはディスクの外側から内側までピットが刻まれたトラックと隣接した記録再生領域の他に、ディスクの途中までしかピットが刻まれていないトラックと隣接した記録再生領域がある。これにより、第１の実施例に比べて隙間なく記録領域を配置することができる。
【００３３】
以上の構成により本発明の第３の実施例では、ディスクの半径方向に記録再生位置検出用のピットを設け、このピットに同期信号やアドレスを埋め込み、記録あるいは再生する際にこのピットをガイドにして高精度の信号光と参照光の照射を行うことにより、ディスクを高速回転せずに記録再生を行うことを可能とする。更に、ディスクの内側から外側までピットが刻まれたトラックと隣接した記録再生領域の他に、ディスクの途中までピットが刻まれたトラックと隣接した記録再生領域があり、第１の実施例に比べてディスクの記録容量を増加させることができる。
【００３４】
なお、ディスクの途中までしかピットが刻まれていないトラックを設けるのではなく、全てディスクの外側から内側までピットが刻まれたトラックとし、記録領域だけディスクの途中までとしても良い。
【実施例４】
【００３５】
図５は第４の実施例の情報記録媒体を示す。図５（ａ）はホログラフィを利用してデジタル情報を記録再生する情報記録媒体の一部を示す概略図である。５１はディスク状の情報記録媒体であり、ディスクの半径方向に放射線状にサーボ用のピットが刻まれている。３はホログラフィの記録再生領域であり、サーボ用のピット５２、５３により位置決めを行う。５２はディスク内側に向かって同期信号やアドレス情報が埋め込まれているピット、５３はディスク外側に向かって同期信号やアドレス情報が埋め込まれているピットであり、ピット５２と５３は１トラック毎に交互に配置されている。
【００３６】
図５（ｂ）は（ａ）の情報記録媒体６１の拡大図である。５２はサーボ用のピットであり、同期信号やアドレス情報が埋め込まれている。ピット５２はディスク内側に向かって同期信号やアドレス情報が埋め込まれており、ディスク内側に向かって読み込んだ時に同期信号やアドレスを取得できるものである。
【００３７】
図５（ｃ）は情報記録媒体１の拡大図（ａ）の隣のトラックの拡大図である。５３はサーボ用のピットであり、同期信号やアドレス情報が埋め込まれている。ピット５３はディスク外側に向かって同期信号やアドレス情報が埋め込まれており、ディスク内側に向かって読み込んだ時に同期信号やアドレスを取得できるものである。
前述のとおり、情報記録媒体５１にはディスクの半径方向に放射線状にピット列が刻まれており、ピットには同期信号やアドレス情報が埋め込まれている。このピットにより正確な記録位置制御を行いながら、ピットのトラックに沿って内側方向にデータを記録していく。端まで記録したら、ピックアップを隣のトラックにジャンプさせ、ピットのトラックに沿って外側方向にデータを記録していく。あるいは、ピットのトラックに沿って内側方向にデータを再生していく。端まで再生したら、ピックアップを隣のトラックにジャンプさせ、ピットのトラックに沿って外側方向にデータを再生していく。
【００３８】
以上の構成により本発明の第４の実施例では、ディスクの半径方向に記録再生位置検出用のピットを設け、このピットに同期信号やアドレスを埋め込み、記録あるいは再生する際にこのピットをガイドにして高精度の信号光と参照光の照射を行うことにより、ディスクを高速回転せずに記録再生を行うことを可能とする。更に、ディスクの外側から内側まで記録あるいは再生した際にピックアップを外側まで戻さず隣のトラックにジャンプさせ、直に内側から外側に向かって記録あるいは再生できるため、本発明の第１の実施例に比べて記録あるいは再生時間を短縮することができる。
【実施例５】
【００３９】
図６は第５の実施例の情報記録媒体を示す。図６（ａ）はホログラフィを利用してデジタル情報を記録再生する情報記録媒体の一部を示す概略図である。６１はディスク状の情報記録媒体であり、ディスクの半径方向に放射線状にサーボ用のピットが刻まれている。３はホログラフィの記録再生領域であり、サーボ用のピット６２により位置決めを行う。
【００４０】
図６（ｂ）は（ａ）の情報記録媒体６１の拡大図である。６２はサーボ用のピットであり、同期信号やアドレス情報が埋め込まれている。３はホログラフィの記録再生領域であり、サーボ用のピット６２により位置決めを行う。同期信号やアドレスがディスクの内側方向からも外側方向からも読めるように、ピットには同期信号を中心に前後に対称にアドレスが埋め込まれている。このピットにより正確な記録位置制御を行いながら、ピットのトラックに沿って内側方向あるいは外側方向に順にデータを記録あるいは再生していく。端まで記録あるいは再生したら、隣のトラックにジャンプさせて、ピットに沿って内側方向あるいは外側方向にデータを記録あるいは再生していく。内側方向、外側方向のどちらにもアクセスでき、記録あるいは再生できるため、記憶媒体へ書き込みを行った直後に書き込んだデータを読み込んで元のデータと比較し、正しく記録できたかどうかをチェックするＲＡＷ（Ｒｅａｄ  Ａｆｔｅｒ  Ｗｒｉｔｅ）を効率良く行うことも可能である。もしも元のデータと読み込んだデータが一致していない場合は正しく記録できなかったと判断し、書き込みをやり直すことができる。
【００４１】
なお、ＲＡＷの単位は１つの記録再生領域でも、複数の記録再生領域でも良く、信号処理回路のバッファに余裕があれば１トラック単位でＲＡＷを行っても良いが、本発明は複数の記録再生領域単位あるいは１トラック単位でＲＡＷを行う際に特に有効である。
【００４２】
以上の構成により本発明の第５の実施例では、ディスクの半径方向に記録再生位置検出用のピットを設け、このピットに同期信号やアドレスを埋め込み、記録あるいは再生する際にこのピットをガイドにして高精度の信号光と参照光の照射を行うことにより、ディスクを高速回転せずに記録再生を行うことを可能とする。更に、トラックの内外側どちらに向かっても同期信号の検出およびアドレスの再生が可能なため、本発明の第１の実施例に比べて高速にアクセスを行うことができ、特にＲＡＷを効率良く行うことができる。
【００４３】
また、本実施例はディスクの半径方向に放射線状にサーボ用のピットが刻まれているものであるが、接線方向にサーボ用のピットが刻まれているディスクに適用した場合は、右回転と左回転のどちらに回転させても同期信号の検出およびアドレスの再生が可能なため、回転待ちを発生させずに高速にアクセスを行うことができ、特に効率良くＲＡＷを行うことができる。
【実施例６】
【００４４】
図７は第６の実施例の情報記録媒体を示す。図７（ａ）はホログラフィを利用してデジタル情報を記録再生する情報記録媒体の一部を示す概略図である。７１はディスク状の情報記録媒体であり、ディスクの半径方向に放射線状にサーボ用のピットが刻まれている。７２、７３はホログラフィの記録再生領域であり、サーボ用のピット７４により位置決めを行う。７４はサーボ用のピットであり、同期信号およびアドレスがディスクの内側方向に読んだ場合に連続したアドレスが１つ飛びに刻まれている。ディスクの外側方向に読んだアドレスも１つ飛びに刻まれており、内側に向かって連続したアドレスは端まで到達したら外側に向かって連続したアドレスとして刻まれている。
【００４５】
図７（ｂ）は（ａ）の情報記録媒体７１のアドレス説明図である。内側に向かって連続したアドレスＭ−１、Ｍ、Ｍ＋１、…は端まで到達したら、外側に向かって連続したアドレスＮ−１、Ｎ、Ｎ＋１、…が埋め込まれている。このアドレスに従い、内側に向かって１つ飛びに記録あるいは再生していき、端まで到達したら、外側に向かって一つ飛びに記録あるいは再生していく。ホログラフィの記録再生領域７２に対しては内側に向かって連続したアドレスＭ−１、Ｍ、Ｍ＋１、…によって位置決めを行い、ホログラフィの記録再生領域７３に対しては外側に向かって連続したアドレスＮ−１、Ｎ、Ｎ＋１、…によって位置決めを行う。
【００４６】
以上の構成により本発明の第６の実施例では、ディスクの半径方向に記録再生位置検出用のピットを設け、このピットに同期信号やアドレスを埋め込み、記録あるいは再生する際にこのピットをガイドにして高精度の信号光と参照光の照射を行うことにより、ディスクを高速回転せずに記録再生を行うことを可能とする。更に、外側から内側に向かって記録した後、同じトラックを内側から外側に向かって記録していくため、記録したデータを確認するには外側から内側に向かって再生するだけで良く、トラックジャンプが不要であるため、本発明の第１の実施例に比べて記録再生時間を短縮することができる。
【実施例７】
【００４７】
図８は第７の実施例の情報記録媒体の一部を示す概略図である。８１はカード状の情報記録媒体であり、カードの短辺方向にサーボ用のピット８２が刻まれている。８２はサーボ用のピットであり、同期信号やアドレス情報が埋め込まれている。３はホログラフィの記録再生領域であり、サーボ用のピット８２の横に配置されており、サーボ用のピット８２により位置決めを行う。
【００４８】
カードの短辺方向には同期信号やアドレス情報が埋め込まれたピットが刻まれており、このピットにより正確な記録位置制御を行いながら、ピットのトラックに沿って順にデータを記録あるいは再生していく。端まで記録あるいは再生したら隣のトラックにジャンプし、トラックに沿って順にデータを記録あるいは再生していく。
【００４９】
なお、トラックに沿ってデータを記録あるいは再生する方向は全トラック同一方向でも良いが、１トラック毎に方向を変えれば、アクセス時間を短縮することができる。
【００５０】
以上の構成により本発明の第３の実施例では、カードの短辺方向に記録再生位置検出用のピットを設け、このピットに同期信号やアドレスを埋め込み、記録あるいは再生する際にこのピットをガイドにして高精度の信号光と参照光の照射を行うことができる情報記録媒体を提供することが可能となる。
【００５１】
なお、上記実施例１および実施例３〜７では、ピットに同期信号やアドレス情報を埋め込んだ場合を例として説明したが、各実施例共にグルーブに適用できることはもちろん、本発明は上記各実施例に限定されるものではなく、その主旨を逸脱しない範囲で種々に変形して実施することができるものである。
【００５２】
また、上記実施例１〜６では、本発明をディスク形状に適用した場合を例として説明したが、各実施例共にカード形状にも適用できることはもちろん、本発明は上記各実施例に限定されるものではなく、その主旨を逸脱しない範囲で種々に変形して実施することができるものである。
【図面の簡単な説明】
【００５３】
【図１】第１の実施例の情報記録媒体の構成を示す概略図である。
【図２】第１の実施例の情報記録再生装置を示す概略図である。
【図３】第２の実施例の情報記録媒体の構成を示す概略図である。
【図４】第３の実施例の情報記録媒体の構成を示す概略図である。
【図５】第４の実施例の情報記録媒体の構成を示す概略図である。
【図６】第５の実施例の情報記録媒体の構成を示す概略図である。
【図７】第６の実施例の情報記録媒体の構成を示す概略図である。
【図８】第７の実施例の情報記録媒体の構成を示す概略図である。
【符号の説明】
【００５４】
１…情報記録媒体、２…ピット、３…記録再生領域、４…光ピックアップ側の基板、
５…ホログラム記録層、６…光ピックアップと反対側の基板、７…信号光、８…参照光、
９…サーボ光、１０…情報記録再生装置、１１…ピックアップ、１２…スピンドルモータ、
１３…信号検出回路、１４…信号検出回路、１５…ＦＥ、ＴＥサーボ回路、１６…スライダ、
１７…スライダ制御回路、１８…コントローラ、１９…スピンドル制御回路
【図１】
2010040148.tif 000003
【図２】
2010040148.tif 000004
【図３】
2010040148.tif 000005
【図４】
2010040148.tif 000006
【図５】
2010040148.tif 000007
【図６】
2010040148.tif 000008
【図７】
2010040148.tif 000009
【図８】
2010040148.tif 000010